(57)【要約】【課題】製造コストを低減すると共に容器を安定的に保持し得る容器の保持具及びその組立方法を提供する。【解決手段】容器の底部を載置する底面部２と、容器の一側で容器の上方まで延在する第一の外側部３と、容器の他側で容器の上方まで延在する第二の外側部４とを備えると共に、容器の上方位置を支持する上部支持構造５と、容器の下方位置を支持する下部支持構造７，１３，１７とを形成し、底面部２、第一の外側部３、第二の外側部４、上部支持構造５、下部支持構造７，１３，１７を一枚の素材シートから構成する。【選択図】図１
2006096357.tif 000002
【特許請求の範囲】
【請求項１】
容器の底部を載置する底面部と、容器の一側で容器の上方まで延在する第一の外側部と、容器の他側で容器の上方まで延在する第二の外側部とを備えると共に、容器の上方位置を支持する上部支持構造と、容器の下方位置を支持する下部支持構造とを形成し、底面部、第一の外側部、第二の外側部、上部支持構造、下部支持構造を一枚の素材シートから構成したことを特徴とする容器の保持具。
【請求項２】
容器の底部を載置する底面部と、容器の側方で容器の上方まで延在する外側部とを備えると共に、容器の上方位置を支持する上部支持構造と、容器の下方位置を支持する下部支持構造とを形成し、底面部、外側部、上部支持構造、下部支持構造を一枚の素材シートから構成したことを特徴とする容器の保持具。
【請求項３】
下部支持構造は、容器の下部周囲を支持するよう外周帯で形成されたことを特徴とする請求項１又は２記載の容器の保持具。
【請求項４】
下部支持構造は、容器の下部周囲を支持するよう外側部の係止孔で形成されたことを特徴とする請求項１〜３のいずれかに記載の容器の保持具。
【請求項５】
上部支持構造は、容器の首部に通して支持するよう挿入孔を備えた内側部で形成されたことを特徴とする請求項１又は２記載の容器の保持具。
【請求項６】
外側部と上部支持構造を容器の上方で連結して把持孔を形成する把持構造を備えたことを特徴とする請求項１〜５のいずれかに記載の容器の保持具。
【請求項７】
複数の容器を保持し得るよう、底面部、上部支持構造、下部支持構造を構成したことを特徴とする請求項１〜６のいずれかに記載の容器の保持具。
【請求項８】
容器の底部を載置する底面部と、底面部の一側から延在する第一の外側部と、第一の外側部から延在する第二の外側部と、底面部の他側から延在し且つ挿入孔を形成した内側部とを備えた容器の保持具の組立方法であって、内側部の挿入孔に容器の首部を挿入して底面部と内側部を折ることにより容器を底面部に載置し、底面部と第一の外側部を折ると共に第一の外側部と第二の外側部を折ることにより第一の外側部と第二の外側部で容器及び内側部を挟み込むよう配置することを特徴とする容器の保持具の組立方法。
【請求項９】
容器の下部周囲を支持する外周帯を備え、容器を底面部に載置する前もしくは容器を載置した後に外周帯を組み立てることを特徴とする請求項８記載の容器の保持具の組立方法。
【発明の詳細な説明】
【技術分野】
【０００１】
本発明は、ワインや日本酒のビン等の容器を保持し得る容器の保持具及びその組立方法に関するものである。
【背景技術】
【０００２】
一般に、ビンに入ったワインや日本酒等を購入した際には、ビンごと袋に入れて持ち運ぶか、ビンの胴部に緩衝材を巻き、この状態で袋に入れて持ち運ぶようにしている。
【０００３】
又、ビンに入ったワインや日本酒の中には、贈答用に包装するためにビンを箱状の段ボールに入れたものや、保護性を高めるためにビンを特殊な収納体に入れたものがある（例えば特許文献１参照）。
【特許文献１】特開２０００−１７７７７９号公報
【発明の開示】
【発明が解決しようとする課題】
【０００４】
しかしながら、ビン等の容器を入れる箱状の段ボールや収納体は、複数の部材から構成されるため、製造コストが増加すると共に組立が困難であるという問題があった。又、ビン等の容器を単純に袋に入れて保持した場合には、容器の保持に安定性がなく、容器を好適に保持することができないという問題があった。更に、ビン等の容器の胴部に緩衝材を巻いた場合には、容器の首部の保護が十分でないため、容器を適切に保護できないという問題があった。更に又、ビン等の容器の表面には内容物の情報を記載したラベルが貼付されるため、容器を箱状の段ボールや収納体に入れた場合には、ラベルが完全に見えなくなるという問題があった。
【０００５】
本発明は、上述の実情に鑑み、製造コストを低減すると共に容器を安定的に保持し得る容器の保持具及びその組立方法を提供することを目的とするものである。
【課題を解決するための手段】
【０００６】
本発明の請求項１は、容器の底部を載置する底面部と、容器の一側で容器の上方まで延在する第一の外側部と、容器の他側で容器の上方まで延在する第二の外側部とを備えると共に、容器の上方位置を支持する上部支持構造と、容器の下方位置を支持する下部支持構造とを形成し、底面部、第一の外側部、第二の外側部、上部支持構造、下部支持構造を一枚の素材シートから構成したことを特徴とする容器の保持具、にかかるものである。
【０００７】
本発明の請求項２は、容器の底部を載置する底面部と、容器の側方で容器の上方まで延在する外側部とを備えると共に、容器の上方位置を支持する上部支持構造と、容器の下方位置を支持する下部支持構造とを形成し、底面部、外側部、上部支持構造、下部支持構造を一枚の素材シートから構成したことを特徴とする容器の保持具、にかかるものである。
【０００８】
本発明の請求項３に示す如く、下部支持構造は、容器の下部周囲を支持するよう外周帯で形成されたことを特徴とする請求項１又は２記載の容器の保持具、にかかるものである。
【０００９】
本発明の請求項４に示す如く、下部支持構造は、容器の下部周囲を支持するよう外側部の係止孔で形成されたことを特徴とする請求項１〜３のいずれかに記載の容器の保持具、にかかるものである。
【００１０】
本発明の請求項５に示す如く、上部支持構造は、容器の首部に通して支持するよう挿入孔を備えた内側部で形成されたことを特徴とする請求項１又は２記載の容器の保持具、にかかるものである。
【００１１】
本発明の請求項６に示す如く、外側部と上部支持構造を容器の上方で連結して把持孔を形成する把持構造を備えたことを特徴とする請求項１〜５のいずれかに記載の容器の保持具、にかかるものである。
【００１２】
本発明の請求項７に示す如く、複数の容器を保持し得るよう、底面部、上部支持構造、下部支持構造を構成したことを特徴とする請求項１〜６のいずれかに記載の容器の保持具、にかかるものである。
【００１３】
本発明の請求項８に示す如く、容器の底部を載置する底面部と、底面部の一側から延在する第一の外側部と、第一の外側部から延在する第二の外側部と、底面部の他側から延在し且つ挿入孔を形成した内側部とを備えた容器の保持具の組立方法であって、内側部の挿入孔に容器の首部を挿入して底面部と内側部を折ることにより容器を底面部に載置し、底面部と第一の外側部を折ると共に第一の外側部と第二の外側部を折ることにより第一の外側部と第二の外側部で容器及び内側部を挟み込むよう配置することを特徴とする容器の保持具の組立方法、にかかるものである。
【００１４】
本発明の請求項９に示す如く、容器の下部周囲を支持する外周帯を備え、容器を底面部に載置する前もしくは容器を載置した後に外周帯を組み立てることを特徴とする請求項８記載の容器の保持具の組立方法、にかかるものである。
【００１５】
このように、本発明の請求項１の容器の保持具によれば、底面部、第一の外側部、第二の外側部、上部支持構造、下部支持構造を一枚の素材シートから構成するので、製造コストを低減することができる。又、容器を上部支持構造及び下部支持構造で支持するので、容器を安定的に保持することができる。更に、容器の両側で容器の上方まで延在する第一の外側部及び第二の外側部を備えるので、容器を適切に保護することができる。更に又、第一の外側部、第二の外側部、上部支持構造、下部支持構造の間から容器を露出させるので、容器のラベルを見せるよう包装することができる。
【００１６】
本発明の請求項２の容器の保持具によれば、底面部、外側部、上部支持構造、下部支持構造を一枚の素材シートから構成するので、製造コストを低減することができる。又、容器を上部支持構造及び下部支持構造で支持するので、容器を安定的に保持することができる。更に、容器の両側で容器の上方まで延在する外側部を備えるので、容器を適切に保護することができる。更に又、外側部、上部支持構造、下部支持構造の間から容器を露出させるので、容器のラベルを見せるよう包装することができる。
【００１７】
本発明の請求項３に示す如く、下部支持構造は、容器の下部周囲を支持するよう外周帯で形成されると、容器の下部周囲を外周帯により好適に支持するので、容器を十分に且つ安定的に保持することができる。
【００１８】
本発明の請求項４に示す如く、下部支持構造は、容器の下部周囲を支持するよう外側部の係止孔で形成されると、容器の下部周囲を係止孔により好適に支持するので、容器を安定的に保持することができる。
【００１９】
本発明の請求項５に示す如く、上部支持構造は、容器の首部に通して支持するよう挿入孔を備えた内側部で形成されると、容器の上部を内側部の挿入孔で支持するので、容器を十分に且つ安定的に保持することができる。
【００２０】
本発明の請求項６に示す如く、外側部と上部支持構造を容器の上方で連結して把持孔を形成する把持構造を備えると、容器を容易に保持すると共に容器を十分に保護することができる。
【００２１】
本発明の請求項７に示す如く、複数の容器を保持し得るよう、底面部、上部支持構造、下部支持構造を構成すると、複数の容器を十分に且つ安定的に保持することができる。
【００２２】
本発明の請求項８によれば、底面部、第一の外側部、第二の外側部、内側部を夫々折って組み立てるので、製造コストを低減すると共に組立構成を単純にすることができる。又、容器の上部を内側部の挿入孔で支持するので、容器を安定的に保持することができる。更に、容器の両側で容器の上方まで延在する第一の外側部及び第二の外側部を備えて組み立てるので、容器の首部までを十分に保護して組み立てることができる。
【００２３】
本発明の請求項９に示す如く、容器の下部周囲を支持する外周帯を備え、容器を底面部に載置する前もしくは容器を載置した後に外周帯を組み立てると、容器の下部を外周帯で支持するので、容器を安定的に保持して組み立てることができる。
【発明の効果】
【００２４】
以上説明したように、本発明によれば、製造コストを低減すると共に容器を安定的に保持することができるという優れた効果を奏し得る。
【発明を実施するための最良の形態】
【００２５】
以下、本発明の実施の形態の第一例を図面に基いて説明する。
【００２６】
図１〜図６は、本発明の容器の保持具及びその組立方法を実施する形態の第一例である。
【００２７】
第一例の容器の保持具１は、所定の大きさの底面部２と、底面部２の一側から延在して容器Ｂの底部から上方までの長さを形成する第一の外側部３と、第一の外側部３の反底面部側から延在して容器Ｂの中途位置から上方までの長さを形成する第二の外側部４と、底面部２の他側から延在して所定長さを形成する上部支持構造の内側部５と、容器Ｂの下部周囲に対応する下部支持構造とを備えている。
【００２８】
又、容器Ｂの保持具１は、底面部２、第一の外側部３、第二の外側部４、上部支持構造の内側部５、下部支持構造が一枚の素材シートから構成されるよう、素材シートの打抜加工等により成形されている。ここで、素材シートの材質は、紙や、塩化ビニール、ポリエチレンテレフタレート等のプラスチック材料であり、容器Ｂの荷重に耐え得るならば特に限定されるものではないが、透明なプラスチック材料や、デザインや文字を表記し得る材料が好ましい。
【００２９】
一方、第一の外側部３は、底面部２との境界線６（底面部２の一側）を折曲可能に構成し、底面部２に隣接する位置には、容器Ｂの底部側面に係合するよう、所定の形状で切り取られた第一の切込部７（下部支持構造）を形成すると共に、第二の外側部４に隣接する位置には、第一の把持孔８（把持構造）を形成している。
【００３０】
第二の外側部４は、第一の外側部３との境界線９（反底面部側）を折曲可能に構成し、第一の外側部３に隣接する位置には、第一の把持孔８に対応するよう第一の把持孔８と略同形で折返可能な連結蓋１０（把持構造）を切込により形成している。又、第二の外側部４の先端近傍には、差込用の突起片１１を切込により形成している。ここで、第二の外側部４の先端は、図１に示す如く、剣先状に形成されているが、他の形状でも良い。
【００３１】
上部支持構造の内側部５は、底面部２との境界線１２（底面部２の他側）を折曲可能に構成し、底面部２に隣接する位置には、第一の切込部７に対応して容器Ｂの底部側面に係合するよう、所定の形状で切り取られた第二の切込部１３（下部支持構造）を形成している。又、上部支持構造の内側部５の先端近傍には、第一の把持孔８と略同形の第二の把持孔１４（把持構造）を形成し、第二の切込部１３と第二の把持孔の間には、第二の外側部４の突起片１１に対応する差込用の切込１５を形成している。更に、上部支持構造の内側部５の略中央には、第二の把持孔１４と差込用の切込１５との間に位置するよう、容器Ｂの首部に対応する楕円の挿入孔１６を形成している。
【００３２】
下部支持構造は、第一の切込部７及び第二の切込部１３を備えると共に、底面部２の両側に所定長さの外周帯１７を、境界線１８を介して折曲可能に夫々形成しており、外周帯１７の両端部には、差込用の切込１９及び突起片２０を形成し、対応する切込１９及び突起片２０を結合することにより容器Ｂの底部周囲を直接囲むようにしている。ここで、下部支持構造は、図４、図５に示す如く、他の例として、第一の切込部７及び第二の切込部１３を無くし、第一の外側部３、内側部５に夫々差込用の切込１９ａを形成し且つ外周帯１７の両端部に切込１９ａに対応する突起片２０ａを形成して、容器Ｂの底部周囲と共に第一の外側部３、内側部５を囲むようにしても良い。又、図６、図７に示す如く、更に他の例として、第一の切込部７及び第二の切込部１３を無くし、外周帯１７の両端部に差込用の切込１９ｂ及び突起片２０ｂを形成して、容器Ｂの底部周囲と共に第一の外側部３、内側部５を囲むようにしても良い。更に、図８、図９に示す如く、別の例として、第一の切込部７及び第二の切込部１３を無くし、外周帯１７の両端部に差込用の切込１９ｃ及び突起片２０ｃを形成して、容器Ｂの底部周囲を直接囲むようにしても良い。更に又、図１０、図１１に示す如く、更に別の例として、外周帯１７を無くして、第一の切込部７及び第二の切込部１３のみにしても良い。又、外周帯１７は、底面部２の両側に形成する代わりに、いずれか一方で容器Ｂの底部周囲を周回し得るよう、外周帯１７を、長い一本の帯で形成しても良い。
【００３３】
ここで、容器Ｂは、ワイン、日本酒、ビール、ジュース等を入れるビンに限定されるものでなく、首部と胴部を有するならば、アルミニウムやスチール等の金属、ポリエチレンテレタレート等の樹脂、紙、陶器の如く、どのような材質でも良い。
【００３４】
以下、本発明を実施する形態の第一例の作用を説明する。
【００３５】
第一例の容器Ｂの保持具１を組み立てる際には、下部支持構造の外周帯１７の切込１９と突起片２０を結合して環状の容器Ｂの載置場所を形成し、上方支持構造の内側部５の挿入孔１６に容器Ｂの首部を挿入して係止し、底面部２と内側部５の境界線１２を折ることにより容器Ｂを底面部２及び環状の載置場所に配置し、底面部２と第一の外側部３の境界線６を折ると共に第一の外側部３と第二の外側部４の境界線９を折ることにより第一の外側部３と第二の外側部４で容器Ｂ及び内側部５を挟み込むよう配置し、内側部５の切込１５に第二の外側部４の突起片１１を差し込んで内側部５と第二の外側部４を締結し、把持構造の連結蓋１０を第二の把持孔１４及び第一の把持孔８に通して折り返すことにより、容器Ｂの上方で内側部５、第一の外側部３、第二の外側部４を連結して把持部分を構成し、容器Ｂを保持可能にする。
【００３６】
ここで、下部支持構造を組み立てる順序は、容器Ｂを底面部２に載置した後に組み立てても良く、特に制限されるものではない。又、外周帯１７が、他の例等の如く、第一の外側部３、内側部５を囲む構成の場合には、容器Ｂの両側に第一の外側部３と内側部５を配置した後に下部支持構造を組み立てることが好ましい。
【００３７】
このように、第一例の容器Ｂの保持具１によれば、底面部２、第一の外側部３、第二の外側部４、上部支持構造、下部支持構造を一枚の素材シートから構成するので、製造コストを低減することができる。又、保持具１を組み立てる前には、一枚の素材シートで構成されるので、多くの保持具１を重ねて保存することができる。更に、容器Ｂを上部支持構造及び下部支持構造により上下で支持するので、容器Ｂを安定的に保持することができる。更に又、容器Ｂの両側で、容器Ｂの底部から上方まで延在する第一の外側部３と、容器Ｂの中途位置から上方まで延在する第二の外側部４を備えるので、容器Ｂの底部から首部までを適切に保護することができる。又、第一の外側部３、第二の外側部４、上部支持構造、下部支持構造の間から容器Ｂを露出させるので、容器Ｂのラベルを見せるよう包装することができる。更に、素材シートを透明な素材にした場合には、特に、第一の外側部３、第二の外側部４、上部支持構造、下部支持構造に影響を受けることなく、容器Ｂのラベルを見せるよう包装することができる。更に又、第一の外側部３、第二の外側部４等にデザインや文字を表したものならば全体の美観を向上させることができる。
【００３８】
下部支持構造は、容器Ｂの底部周囲を支持するよう外周帯１７で形成されると、容器Ｂの底部周囲を外周帯１７により好適に支持するので、容器Ｂを十分に且つ安定的に保持することができる。又、第一例の下部支持構造において、外周帯１７の外方に第一の外側部３、内側部５を備える場合には、外周帯１７を第一の外側部３、内側部５により押え付けるので、外周帯１７の切込１９及び突起片２０を好適に固定することができる。更に、第一例の下部支持構造において、外周帯１７が、他の例等の如く、第一の外側部３、内側部５を囲む構成の場合には、容器Ｂの底部周囲の固定状態を容易に認識することができる。
【００３９】
下部支持構造は、容器Ｂの底部周囲の側部を支持するよう外側部の係止孔で形成されると、容器Ｂの底部周囲の側部を係止孔により好適に支持するので、容器Ｂを安定的に保持することができる。特に第一例の如く、外周帯１７を併用した場合には、容器Ｂを一層安定的に保持することができる。又、別の例の下部支持構造の如く、外周帯１７を無くして、第一の切込部７及び第二の切込部１３のみにした場合には、製造コストを大幅に低減することができる。
【００４０】
上部支持構造は、容器Ｂの首部に通して支持するよう挿入孔１６を備えた内側部５で形成されると、容器Ｂの上部を内側部５の挿入孔１６で支持するので、容器Ｂを十分に且つ安定的に保持することができる。
【００４１】
第一の外側部３、第二の外側部４と上部支持構造の内側部５を容器Ｂの上方で連結して把持孔を形成する把持構造を備えると、容器Ｂを容易に保持すると共に容器Ｂを底部から首部までを十分に保護することができる。
【００４２】
第一例の保持具の組立方法によれば、底面部２、第一の外側部３、第二の外側部４、内側部５を夫々折って組み立てるので、製造コストを低減すると共に組立構成を単純にすることができる。又、容器Ｂの上部を内側部５の挿入孔１６で支持するので、容器Ｂを安定的に保持することができる。更に、容器Ｂの両側で容器Ｂの上方まで延在する第一の外側部３及び第二の外側部４を備えて組み立てるので、容器Ｂの首部までを十分に保護して組み立てることができる。
【００４３】
容器Ｂの底部周囲を支持する外周帯１７を備え、容器Ｂを底面部２に載置する前もしくは容器Ｂを載置した後に外周帯１７を組み立てると、容器Ｂの下部を外周帯１７で支持するので、容器Ｂを安定的に保持して組み立てることができる。
【００４４】
以下、本発明の実施の形態の第二例を図面に基いて説明する。
【００４５】
図１２、図１３は、本発明の容器の保持具及びその組立方法を実施する形態の第二例である。
【００４６】
第二例の容器Ｂの保持具２１は、複数の容器Ｂ（図１２、図１３では２本）を載置し得る所定の大きさの底面部２２と、底面部２２の一側から延在して容器Ｂの底部から上方までの長さを形成する第一の外側部２３と、第一の外側部２３の反底面部側から延在して容器Ｂの中途位置から上方までの長さを形成する第二の外側部２４と、底面部２２の他側から延在して所定長さを形成する上部支持構造の内側部２５と、容器Ｂの底部周囲に対応する下部支持構造とを備えている。
【００４７】
又、容器Ｂの保持具２１は、底面部２２、第一の外側部２３、第二の外側部２４、上部支持構造、下部支持構造が一枚の素材シートから構成されるよう、素材シートの打抜加工等により成形されている。ここで、素材シートの材質は、第一例と略同様の素材で構成されている。
【００４８】
一方、第一の外側部２３は、底面部２２との境界線２６（底面部２２の一側）を折曲可能に構成し、底面部２２に隣接する位置には、二本の容器Ｂの底部側面に係合するよう、所定の形状で切り取られた二つの第一の切込部２７（下部支持構造）を形成すると共に、第二の外側部２４に隣接する位置には、第一の把持孔２８（把持構造）を形成している。
【００４９】
第二の外側部２４は、第一の外側部２３との境界線２９（反底面部側）を折曲可能に構成し、第一の外側部２３に隣接する位置には、第一の把持孔２８に対応するよう第一の把持孔２８と略同形で折返可能な連結蓋３０（把持構造）を切込により形成している。又、第二の外側部２４の先端近傍には、差込用の突起片３１を切込により形成している。
【００５０】
上部支持構造の内側部２５は、底面部２２との境界線３２（底面部２２の他側）を折曲可能に構成し、底面部２２に隣接する位置には、第一の切込部２７に対応して容器Ｂの底部側面に係合するよう、所定の形状で切り取られた第二の切込部３３（下部支持構造）を形成している。又、上部支持構造の内側部２５の先端近傍には、第一の把持孔２８と略同形の第二の把持孔３４（把持構造）を形成し、第二の切込部３３と第二の把持孔３４の間には、第二の外側部２４の突起片３１に対応する差込用の切込３５を形成している。更に、上部支持構造の内側部２５の略中央には、第二の把持孔３４と差込用の切込３５との間に位置するよう、二本の容器Ｂの首部に対応する二つの楕円の挿入孔３６を形成している。
【００５１】
下部支持構造は、第一の切込部２７及び第二の切込部３３を備えると共に、底面部２２の両側に所定長さの外周帯３７を、境界線３８を介して折曲可能に夫々形成しており、外周帯３７の両端部には、差込用の切込３９及び突起片４０を形成し、対応する切込３９及び突起片４０を結合することにより容器Ｂの底部周囲を直接囲むようにしている。又、下部支持構造は、第一例と略同様に図４〜図１１に示す如く、他の構成にしても良い。
【００５２】
ここで、容器Ｂは、第一例と略同様に、ワイン、日本酒、ビール、ジュース等を入れるビンに限定されるものでなく、首部と胴部を有するならば、アルミニウムやスチール等の金属、ポリエチレンテレタレート等の樹脂、紙、陶器の如く、どのような材質でも良い。
【００５３】
以下、本発明を実施する形態の第二例の作用を説明する。
【００５４】
第二例の容器Ｂの保持具２１を組み立てる際には、下部支持構造の外周帯３７の切込３９と突起片４０を結合して楕円状の二本の容器Ｂの載置場所を形成し、上方支持構造の内側部２５の挿入孔３６に夫々二本の容器Ｂの首部を挿入して係止し、底面部２２と内側部２５の境界線３２を折ることにより二本の容器Ｂを底面部２２及び環状の載置場所に配置し、底面部２２と第一の外側部２３の境界線２６を折ると共に第一の外側部２３と第二の外側部２４の境界線２９を折ることにより第一の外側部２３と第二の外側部２４で二本の容器Ｂ及び内側部２５を挟み込むよう配置し、内側部２５の切込３５に第二の外側部２４の突起片３１を差し込んで内側部２５と第二の外側部２４を締結し、把持構造の連結蓋３０を第二の把持孔３４及び第一の把持孔２８に通して折り返すことにより、容器Ｂの上方で内側部２５、第一の外側部２３、第二の外側部２４を連結して把持部分を構成し、容器Ｂを保持可能にする。
【００５５】
ここで、下部支持構造を組み立てる順序は、第一例と略同様に、二本の容器Ｂを底面部２２に載置した後に組み立てても良く、特に制限されるものではない。
【００５６】
このように、第二例の容器Ｂの保持具２１によれば、第一例と略同様な作用効果を得ることができる。又、第二例の如く、複数本の容器Ｂを保持し得るよう、底面部２２、上部支持構造、下部支持構造を構成すると、複数本の容器Ｂを十分に且つ安定的に保持することができる。
【００５７】
以下、本発明の実施の形態の第三例を図面に基いて説明する。
【００５８】
図１４は、本発明の容器の保持具及びその組立方法を実施する形態の第三例である。
【００５９】
第三例の容器Ｂの保持具４１は、所定の大きさの底面部４２と、底面部４２の一側から延在して容器Ｂの底部から上方までの長さを形成する外側部４３と、底面部４２の他側から延在して所定長さを形成する上部支持構造の内側部４４と、容器Ｂの底部周囲に対応する下部支持構造とを備えている。
【００６０】
又、容器Ｂの保持具４１は、底面部４２、外側部４３、上部支持構造の内側部４４、下部支持構造が一枚の素材シートから構成されるよう、素材シートの打抜加工等により成形されている。ここで、素材シートの材質は、第一例と略同様の素材で構成されている。
【００６１】
一方、第一の外側部４３は、底面部４２との境界線４５（底面部４２の一側）を折曲可能に構成し、底面部４２に隣接する位置には、容器Ｂの底部側面に係合するよう、所定の形状で切り取られた第一の切込部４６（下部支持構造）を形成すると共に、先端近傍には把持孔４７（把持構造）を形成している。
【００６２】
上部支持構造の内側部４４は、底面部４２との境界線４８（底面部４２の他側）を折曲可能に構成し、底面部４２に隣接する位置には、第一の切込部４６に対応して容器Ｂの底部側面に係合するよう、所定の形状で切り取られた第二の切込部４９（下部支持構造）を形成している。又、上部支持構造の内側部４４の先端近傍には、把持孔４７に対応するよう把持孔４７と略同形で折返可能な連結蓋５０（把持構造）を切込により形成し、上部支持構造の内側部４４の略中央には、連結蓋５０と第二の切込部４９との間に位置するよう、容器Ｂの首部に対応する楕円の挿入孔５１を形成している。
【００６３】
下部支持構造は、第一の切込部４６及び第二の切込部４９を備えると共に、底面部４２の両側に所定長さの外周帯５２を、境界線５３を介して折曲可能に夫々形成しており、外周帯５２の両端部には、差込用の切込５４及び突起片５５を形成し、対応する切込５４及び突起片５５を結合することにより容器Ｂの底部周囲を直接囲むようにしている。又、下部支持構造は、第一例と略同様に図４〜図１１に示す如く、他の構成にしても良い。
【００６４】
ここで、容器Ｂは、第一例と略同様に、ワイン、日本酒、ビール、ジュース等を入れるビンに限定されるものでなく、首部と胴部を有するならば、アルミニウムやスチール等の金属、ポリエチレンテレタレート等の樹脂、紙、陶器の如く、どのような材質でも良い。
【００６５】
以下、本発明を実施する形態の第三例の作用を説明する。
【００６６】
第三例の容器Ｂの保持具４１を組み立てる際には、下部支持構造の外周帯５２の切込５４と突起片５５を結合して環状の容器Ｂの載置場所を形成し、上方支持構造の内側部４４の挿入孔５１に容器Ｂの首部を挿入して係止し、底面部４２と内側部４４の境界線４８を折ることにより容器Ｂを底面部４２及び環状の載置場所に載置し、底面部４２と外側部４３の境界線４５を折ることにより外側部４３を容器Ｂの側部に隣接配置し、把持構造の連結蓋５０を把持孔４７に通して折り返すことにより、容器Ｂの上方で内側部４４、外側部４３を連結して把持部分を構成し、容器Ｂを保持可能にする。
【００６７】
ここで、下部支持構造を組み立てる順序は、容器Ｂを底面部４２に載置した後に組み立てても良く、特に制限されるものではない。
【００６８】
このように、第三例の容器Ｂの保持具４１によれば、底面部４２、外側部４３、上部支持構造の内側部４４、下部支持構造を一枚の素材シートから構成するので、製造コストを低減することができる。又、保持具４１を組み立てる前には、一枚の素材シートで構成されるので、多くの保持具４１を重ねて保存することができる。更に、容器Ｂを上部支持構造及び下部支持構造により上下で支持するので、容器Ｂを安定的に保持することができる。更に又、容器Ｂの一側で、容器Ｂの底部から上方まで延在する外側部４３を備えるので、容器Ｂの底部から首部までを適切に保護することができる。又、外側部４３、上部支持構造の内側部４４、下部支持構造の間から容器Ｂを露出させるので、容器Ｂのラベルを見せるよう包装することができる。更に、素材シートを透明な素材にした場合には、特に、外側部４３、上部支持構造の内側部４４、下部支持構造に影響を受けることなく、容器Ｂのラベルを見せるよう包装することができる。更に又、外側部４３、上部支持構造の内側部４４等にデザインや文字を表したものならば全体の美観を向上させることができる。
【００６９】
又、第三例の容器Ｂの保持具４１によれば、第一例と略同様な作用効果を得ることができる。
【００７０】
以下、本発明の実施の形態の第四例を図面に基いて説明する。
【００７１】
図１５は、本発明の容器の保持具及びその組立方法を実施する形態の第四例である。
【００７２】
第四例の容器Ｂの保持具６１は、複数の容器Ｂ（図１５では２本）を載置し得る所定の大きさの底面部６２と、底面部６２の一側から延在して容器Ｂの底部から上方までの長さを形成する外側部６３と、底面部６２の他側から延在して所定長さを形成する上部支持構造の内側部６４と、容器Ｂの底部周囲に対応する下部支持構造とを備えている。
【００７３】
又、容器Ｂの保持具６１は、底面部６２、外側部６３、上部支持構造の内側部６４、下部支持構造が一枚の素材シートから構成されるよう、素材シートの打抜加工等により成形されている。ここで、素材シートの材質は、第一例と略同様の素材で構成されている。
【００７４】
一方、外側部６３は、底面部６２との境界線６５（底面部６２の一側）を折曲可能に構成し、底面部６２に隣接する位置には、所定の形状で切り取られた二つの第一の切込部６６（下部支持構造）を形成すると共に、先端近傍には把持孔６７（把持構造）を形成している。
【００７５】
上部支持構造の内側部６４は、底面部６２との境界線６８（底面部６２の他側）を折曲可能に構成し、底面部６２に隣接する位置には、第一の切込部６６に対応するよう所定の形状で切り取られた第二の切込部６９（下部支持構造）を形成している。又、上部支持構造の内側部６４の先端近傍には、把持孔６７に対応するよう把持孔６７と略同形で折返可能な連結蓋７０（把持構造）を切込により形成し、上部支持構造の内側部６４の略中央には、連結蓋７０と第二の切込部６９との間に位置するよう、二本の容器Ｂの首部に対応する二つの楕円の挿入孔７１を形成している。
【００７６】
下部支持構造は、第一の切込部６６及び第二の切込部６９を備えると共に、底面部６２の両側に所定長さの外周帯７２を、境界線７３を介して折曲可能に夫々形成しており、外周帯７２の両端部には、差込用の切込７４及び突起片７５を形成し、対応する切込７４及び突起片７５を結合することにより容器Ｂの底部周囲を直接囲むようにしている。又、下部支持構造は、第一例と略同様に図４〜図１１に示す如く、他の構成にしても良い。
【００７７】
ここで、容器Ｂは、第一例と略同様に、ワイン、日本酒、ビール、ジュース等を入れるビンに限定されるものでなく、首部と胴部を有するならば、アルミニウムやスチール等の金属、ポリエチレンテレタレート等の樹脂、紙、陶器の如く、どのような材質でも良い。
【００７８】
以下、本発明を実施する形態の第四例の作用を説明する。
【００７９】
第四例の容器Ｂの保持具６１を組み立てる際には、下部支持構造の外周帯７２の切込７４と突起片７５を結合して楕円状の二本の容器Ｂの載置場所を形成し、上方支持構造の内側部６４の挿入孔７１に夫々二本の容器Ｂの首部を挿入して係止し、底面部６２と内側部６４の境界線６８を折ることにより二本の容器Ｂを底面部６２及び楕円状の載置場所に配置し、底面部６２と外側部６３の境界線６５を折ることにより外側部６３を容器Ｂの側部に隣接配置し、把持構造の連結蓋７０を把持孔６７に通して折り返すことにより、容器Ｂの上方で内側部６４、外側部６３を連結して把持部分を構成し、容器Ｂを保持可能にする。
【００８０】
ここで、下部支持構造を組み立てる順序は、第三例と略同様に、二本の容器Ｂを底面部６２に載置した後に組み立てても良く、特に制限されるものではない。
【００８１】
このように、第四例の容器Ｂの保持具６１によれば、第二例及び第三例と略同様な作用効果を得ることができる。
【００８２】
なお、本発明は、上述の実施の形態にのみ限定されるものではなく、小型の容器や大型の容器に合わせて大きさを変更してもよいこと、第一例及び第二例において底面部、第一の外側部、第二の外側部、上部支持構造、下部支持構造は一枚の素材シートを折って構成されるならば他の形状でも良いこと、第三例及び第四例において底面部、外側部、上部支持構造、下部支持構造も一枚の素材シートを折って構成されるならば他の形状でも良いこと、上部支持構造及び下部支持構造は容器を安定的に保持し得るならば他の構成でも良いこと、特に上部支持構造を下部支持構造と略同様に外周帯を構成しても良いこと、外周帯を第一の外側部及び内側部へ結合する際にはシール等を用いても良いこと、第二例及び第四例において複数の容器を保持する構成の場合には三本以上の容器を保持するようにしても良いこと、その他、本発明の要旨を逸脱しない範囲内において種々変更を加え得ることは勿論である。
【図面の簡単な説明】
【００８３】
【図１】本発明の実施の形態の第一例を一枚の素材シートで示す平面図である。
【図２】本発明の実施の形態の第一例を組み立てた状態を示す斜視図である。
【図３】本発明の実施の形態の第一例を組み立てた状態を示す概略断面図である。
【図４】下部支持構造の他の例を示す平面図である。
【図５】下部支持構造の他の例の組立状態を示す概略図である。
【図６】下部支持構造の更に他の例を示す平面図である。
【図７】下部支持構造の更に他の例の組立状態を示す概略図である。
【図８】下部支持構造の別の例を示す平面図である。
【図９】下部支持構造の別の例の組立状態を示す概略図である。
【図１０】下部支持構造の更に別の例を示す平面図である。
【図１１】下部支持構造の更に別の例の組立状態を示す概略図である。
【図１２】本発明の実施の形態の第二例を一枚の素材シートで示す平面図である。
【図１３】本発明の実施の形態の第二例を組み立てた状態を示す斜視図である。
【図１４】本発明の実施の形態の第三例を一枚の素材シートで示す平面図である。
【図１５】本発明の実施の形態の第四例を一枚の素材シートで示す平面図である。
【符号の説明】
【００８４】
２    底面部
３    第一の外側部
４    第二の外側部
５    内側部（上部支持構造）
７    第一の切込部（下部支持構造）
８    第一の把持孔（把持構造）
１０    連結蓋（把持構造）
１３    第二の切込部（下部支持構造）
１４    第二の把持孔（把持構造）
１６    挿入孔
１７    外周帯（下部支持構造）
２１    保持具
２２    底面部
２３    第一の外側部
２４    第二の外側部
２５    内側部（上部支持構造）
２７    第一の切込部（下部支持構造）
２８    把持孔（把持構造）
３０    連結蓋（把持構造）
３３    第二の切込部（下部支持構造）
３４    第二の把持孔（把持構造）
３６    挿入孔
３７    外周帯（下部支持構造）
４１    保持具
４２    底面部
４３    外側部
４４    内側部（上部支持構造）
４６    第一の切込部（下部支持構造）
４７    把持孔（把持構造）
４９    第二の切込部（下部支持構造）
５０    連結蓋（把持構造）
５１    挿入孔
５２    外周帯（下部支持構造）
６２    底面部
６３    外側部
６４    内側部（上部支持構造）
６６    第一の切込部（下部支持構造）
６７    把持孔（把持構造）
６９    第二の切込部（下部支持構造）
７０    連結蓋（把持構造）
７１    挿入孔
７２    外周帯（下部支持構造）
Ｂ    容器
【図１】
2006096357.tif 000003
【図２】
2006096357.tif 000004
【図３】
2006096357.tif 000005
【図４】
2006096357.tif 000006
【図５】
2006096357.tif 000007
【図６】
2006096357.tif 000008
【図７】
2006096357.tif 000009
【図８】
2006096357.tif 000010
【図９】
2006096357.tif 000011
【図１０】
2006096357.tif 000012
【図１１】
2006096357.tif 000013
【図１２】
2006096357.tif 000014
【図１３】
2006096357.tif 000015
【図１４】
2006096357.tif 000016
【図１５】
2006096357.tif 000017